(57)【要約】【課題】掲示物の向きや角度をより多彩に調整することができる掲示物用保持具を提供すること。【解決手段】掲示物用保持具（１０）はそれぞれが一対のグリップ部（１８）を有する第１のクリップ（１２）及び第２クリップ（１４）を含む。両クリップはそれぞれの一方のグリップ部において継手（１６）を介して互いに連結されている。継手（１６）は、第１のクリップの回転を許す第１の縦軸（２６）と、第２のクリップの回転を許す第２の縦軸（２８）と、両縦軸間にあって各クリップの回転を許す第１の横軸（３０）とを含む。【選択図】図１
0003116059.tif 000002
【実用新案登録請求の範囲】
【請求項１】
それぞれが一対のグリップ部を有する第１のクリップ及び第２のクリップであってそれぞれの一方のグリップ部において継手を介して互いに連結された第１のクリップ及び第２クリップを含み、
前記継手は、前記第１のクリップの回転を許す第１の縦軸と、前記第２のクリップの回転を許す第２の縦軸と、両縦軸間にあって各クリップの回転を許す第１の横軸とを含む、掲示物用保持具。
【請求項２】
前記継手は、さらに、前記第１の横軸と前記第２の縦軸との間に配置された縦方向に伸びる延長部材と、
前記延長部材と前記第２の縦軸との間にあって前記第１の横軸と平行に伸び、各クリップの回転を許す第２の横軸とを含む、請求項１に記載の掲示物用保持具。
【考案の詳細な説明】
【技術分野】
【０００１】
本考案は、掲示物、特に商品についての情報が記載されたカードを保持するための保持具に関する。
【背景技術】
【０００２】
従来、スーパーマーケット、コンビニエンスストア、ドラッグストア等において特定商品の販売やその販売促進のために、その商品についての説明、価格等が記載されたカード（掲示物）を例えば商品陳列棚に取り付けるための掲示物用保持具が提案されている（後記特許文献１参照）。
【特許文献１】特開２００１−３５６６８５号公報
【０００３】
前記従来の保持具は、それぞれが一対のグリップ部を有する第１のクリップ及び第２のクリップであってそれぞれの一方のグリップ部において継手を介して互いに連結された第１のクリップ及び第２クリップを備える。これによれば、例えば前記第１のクリップで前記カードを挟持し、かつ前記第２のクリップで前記商品陳列棚の一部を挟持することにより、前記カードを購買客の目に触れるようにし、前記カードに表示された商品の在所を示すことができる。
【０００４】
前記従来の保持具にあっては、その継手が、前記第１のクリップのための第１の横軸と、前記第２のクリップのための第２の横軸と、両横軸間にあって各クリップの回転を許す縦軸とを備えることから、これらの軸を介して、前記第１のクリップを前記第２のクリップに対して相対的に回転させ、これにより前記カードの向き、角度等を調整することが可能である。
【０００５】
しかし、例えば、前記カードを挟持する第１のクリップを前記第２のクリップと直角に交差することとなるように前記第１の横軸の周りに回転させるとき、前記第１のクリップは前記第１の横軸に直交する横軸線の周りに回転することができない。この点において、前記従来の保持具は前記カードの向きや角度の調整を行う上で十分でない。
【考案の開示】
【考案が解決しようとする課題】
【０００６】
本考案の目的は、掲示物の向きや角度をより多彩に調整することができる掲示物用保持具を提供することにある。
【課題を解決するための手段】
【０００７】
本考案は掲示物用保持具に係り、該掲示物用保持具はそれぞれが一対のグリップ部を有する両グリップ第１のクリップ及び第２クリップを含む。両クリップはそれぞれの一方のグリップ部において継手を介して互いに連結されている。前記継手は、前記第１のクリップの回転を許す第１の縦軸と、前記第２のクリップの回転を許す第２の縦軸と、両縦軸間にあって各クリップの回転を許す第１の横軸とを含む。
【０００８】
前記継手が、さらに、前記第１の横軸と前記第２の縦軸との間に配置された縦方向に伸びる延長部材と、前記延長部材と前記第２の縦軸との間にあって前記第１の横軸と平行に伸び、各クリップの回転を許す第２の横軸とを含むものとすることができる。
【考案の効果】
【０００９】
本考案によれば、例えば、商品の情報が記載された前記カードを挟持する第１のクリップを、これが前記第２のクリップと直角に交差することとなるように、前記第１の横軸の周りに回転させるとき、前記第１のクリップはさらに前記第１の縦軸の周りに回転させることができる。これにより、前記カードの向きや角度の調整を多彩に行うことができる。
【００１０】
このことは、前記継手が延長部材を有する場合についても同様に行うことができる。また、延長部材により前記カードをより高い位置のようにより突出した位置に配置することができる。さらに、前記第２の横軸を設けることにより、保持される前記カードの姿勢をより多彩に変化させることができる。
【考案を実施するための最良の形態】
【００１１】
図１〜図３を参照すると、本考案に係る掲示物用保持具（以下単に「保持具」という。）が全体に符号１０で示されている。
【００１２】
保持具１０は、第１のクリップ（図において上方のクリップ）１２と第２のクリップ（図において下方のクリップ）１４とを備え、第１及び第２の両クリップ１２，１４は、継手１６により互いに連結されている。
【００１３】
この保持具１０によれば、例えば店舗内において、商品情報が記載されたカード（図示せず）のような掲示用物を第１のクリップ１２で挟んでこれを保持し、例えば商品棚の一部を第２のクリップ１４で挟むことにより、前記カードを購買客からよく見えるように前記商品棚に支持することができる。
【００１４】
各クリップ１２，１４は、互いに相対する一対のグリップ部１８と互いに相対する一対の挟み部２０とを有し、グリップ部１８と挟み部２０との境界に支点部２２（図３）を有する。
【００１５】
図示の各クリップ１２，１４にあっては、板ばねからなるばね部材２４の弾力を受けて、両挟み部２０が互いに接するように強制されている。互いに接して閉じた状態にある両挟み部２０は、ばね部材２２のばね力に抗して両グリップ部１８を手で握ることにより支点部２２を中心に回転する。その結果、両挟み部２０の間に隙間が生じる。
【００１６】
なお、図示の例では、第１のクリップ１２については２つのばね部材２４が使用され、第２のクリップ１４では１つのばね部材２４が使用されている。第１のクリップ１２についての両ばね部材２４は、それぞれ、グリップ部１８の両側方において両挟み部２０を跨ぐように配置され、これらの両端部において両挟み部２０を挟みかつ圧している。また、第２のクリップ１４についてのばね部材２４は、その両端部がそれぞれ両グリップ部１４に設けられた穴２５を貫通して伸び、その両端部において両挟み部２０を挟みかつ圧している。いうまでもなく、使用すべきばね部材２４の数量は任意に設定することができる。
【００１７】
両クリップ１２，１４を相互に連結する継手１６は、第１のクリップ１２の回転を許す第１の縦軸２６と、第２のクリップ１４の回転を許す第２の縦軸２８と、これらの縦軸間にあって各クリップ１２，１４の回転を許す第１の横軸３０とを備える（図３参照）。
【００１８】
第１の縦軸２６及び第２の縦軸２８は、図示の例では、それぞれ、グリップ部１４、より正確にはグリップ部１４の端部中央に一体に設けられ、挟み部２０と反対側に向けて突出している。いうまでもなく、縦軸２６，２８はこれらを別体からなる棒状部材としかつ該棒状部材を前記グリップ部の端部中央に固定することによって設けることもできる。
【００１９】
第１のクリップ１２から伸びる縦軸２６及び第２のクリップ１４から伸びる縦軸２８は、２つの連結部材３２，３４を介して同一軸線上において連結されている。
【００２０】
一方の連結部材３２は、縦軸２６をしまりばめ状態に受け入れ可能である縦穴３６と、図上においてその下方に伸びる柱状の突起３８とを有する。縦穴３６と突起３８とは一の直線上を伸びている。突起３８にはこれを横切る貫通孔４０が設けられている。
【００２１】
また、他方の連結部材３４は、縦軸２８をしまりばめ状態に受け入れ可能である縦穴４２と、図上においてその上方に位置する、一方の連結部材３２の突起３８を受け入れ可能である中空部４４と、中空部４４を横切って連結部材３４を貫通する貫通孔４５とが設けられている。中空部４４を横切る貫通孔４５には第１の横軸３０をなすボルトが通される。
【００２２】
継手１６による両クリップ１２，１４の相互連結と、これによる保持具１０の組立とは、例えば次のようにして行うことができる。
【００２３】
まず、一方の連結部材３２をその穴３６に第１の縦軸２６が受け入れられるように第１のクリップ１２に取り付け、また、他方の連結部材３４をその穴４２に第２の縦軸２８が受け入れられるように第２のクリップ１４に取り付ける。次いで、一方の連結部材の突起３８が他方の連結部材３４の中空部４４に挿入する。さらに、一方の連結部材の貫通孔４０と他方の連結部材３４の貫通孔４５とにボルト３０を通し、これにナット４６を螺号し、中空部４４内の突起３８を連結部材３４で締め付ける。その結果、第１のクリップ１２と第２のクリップ１４とが相互に連結され、保持具１０が組み立てられる。
【００２４】
この保持具１０によれば、第１のクリップ１２を、第２のクリップ１４に対して、第１の縦軸２６の軸線の周りにまた第１の横軸３０の周りにそれぞれ任意の角度だけ回転させ、その角度位置を維持することができる。第２のクリップ１４は、第１のクリップ１２に対して、第２の縦軸２８の軸線の周りに任意の角度だけ回転させ、その角度位置を維持することができる。
【００２５】
第１のクリップ１２を第２のクリップ１４に対して直角をなすように第１の横軸３０の周りに回転させた後、第１のクリップ１２を第１の縦軸２６の軸線の周りに回転させることができ、これにより、第１のクリップ１２の姿勢を変化させることができる。
【００２６】
前記カードの保持位置を例えばより高い位置に設定し得るように、図４に示すように、他の例の継手１６を採用することができる。この例に係る継手は、さらに、第１のクリップ１２と第２のクリップ１４との間、より詳細には第１の横軸３０と第２の縦軸２８との間に第１の縦軸２６と平行に伸びる延長部材４８と第２の横軸５０とを有する。
【００２７】
延長部材４８を有する継手１６にあっては、図１〜図３に示す継手におけると同様、第１のクリップ１２が第１の縦軸２６において回転可能に連結部材３２が取り付けられ、連結部材３２には、連結部材３４に似た連結部材５２が連結されている。
【００２８】
連結部材５２は、より詳細には、連結部材３４における縦穴４２を有しない点を除いて、連結部材３４と同一の形状を有する。連結部材５２には、縦穴４２を設ける代わりに、延長部材４８がその一端部（上端部）において連なっている。
【００２９】
延長部材４８の他端部（下端部）は、連結部材３４と同様の連結部材５２に接続されている。すなわち、延長部材４８の他端部は、連結部材３２における突起３８とほぼ同一の形状を有する突起５４を備え、突起５４は連結部材５２の中空部４４内に挿入されている。第２の横軸５０をなすボルトが、第１の横軸３０をなすボルトと同様、連結部材５２における及び突起５４を貫通して伸び、ボルト５０にナット５６が螺合、締結されている。
【００３０】
また、連結部材５２には、第２のクリップ１４が該クリップから伸びる第２の縦軸２８において回転可能に取り付けられている。
【００３１】
したがって、この例によれば、さらに、前記第２の横軸５０の軸線の周りに第１及び第２のクリップ１２，１４をそれぞれ回転させることができる。
【図面の簡単な説明】
【００３２】
【図１】本考案の一例に係る掲示物用保持具の斜視図である。
【図２】掲示物用保持具の分解図である。
【図３】掲示物用保持具の両クリップを断面で示す側面図である。
【図４】他の例の掲示物用保持具の斜視図である。
【符号の説明】
【００３３】
１０  掲示物用保持具
１２，１４  クリップ
１６  継手
１８，２０  グリップ部及び挟み部
２６，２８  第１の縦軸及び第２の縦軸
３０  第１の横軸
５０  第２の横軸
【図１】
0003116059.tif 000003
【図２】
0003116059.tif 000004
【図３】
0003116059.tif 000005
【図４】
0003116059.tif 000006